(57)【特許請求の範囲】
【請求項１】
部屋の壁面を構成する壁パネルと部屋の床面とが交差する壁・床際の構造であって、
建物の躯体の床及び天井に対した戸境壁用又は二重の床及び天井に対した間仕切壁用に固定される、縦方向に延びるスタッドと、
上記壁パネルの下端部を収容する壁パネル差し込み部を有し、上記スタッドに固定される受け材と、
上記受け材に差し込まれて固定され、上記壁面の下端部を縁どる弾性材からなる巾木と、を具備し、
上記受け材は、互いに連接されているスタッド側プレートと、壁パネルを受ける底部と、スタッド側プレートと対向する第１及び第２の巾木側プレートと、第１及び第２の巾木側プレートとの間の傾斜プレートと、から構成されており、
上記壁パネルを収容した受け材は、第１の巾木側プレート、壁パネル、及びスタッド側プレートを貫通するようにしてビス止めによりスタッドに固定され、
上記巾木が、上記受け材を隠すように受け材手前側に垂下する部分（外側プレート）と、上記受け材の第２の巾木側プレートと壁パネルとの間に挿入される部分（内側プレート）とを有し、
上記内側プレートに上記壁パネルに接触するように開いている第１の裾部が形成されているとともに、上記外側プレートに床面に接触するように開いている第２の裾部が形成されており、これらの構成により、壁パネル又は床面に押し当てられる弾性材からなる取り付け手段が形成されていることを特徴とする内装の壁・床際構造。
【請求項２】
上記巾木が、その外側プレートの内側に設けられたビスを保持するビス保持部をさらに有することを特徴とする請求項１記載の内装の壁・床際構造。
【発明の詳細な説明】
【０００１】
【発明が属する技術分野】
本発明は、住宅やオフィス等の建物の内装の壁・床際構造に関し、特に、特殊な技能を有しない者でも組み立てが可能（一業種で施工可能）で、内装工事の省力化に役立つとともに、のり、釘を使用しない乾式工法ともしうる内装の壁・床際構造に関する。
【０００２】
【従来の技術】
集合住宅等の鉄筋コンクリート製の躯体壁に沿って壁をつける際には、従来、一般的に次のようにしていた。まず躯体壁に間柱としてのスタッドをある間隔で上下ガイド材等に固定する。次にこのスタッドに石膏製等の壁面ボードを貼る。そして最後に、この壁面ボードの上に化粧板を貼るかクロス貼りの表面化粧をして仕上げて、壁、床際部を、巾木（見切材）をのり、釘を使用して固定している。
【０００３】
【発明が解決しようとする課題】
しかしながら、上記従来の工法では、下地から仕上げ工事まで複数の専門業者の手で施工することが前提であり、工数・コスト・所要日数ともに相当かかるものであった。また、将来、リフォームや間仕切り変更をする場合や壁面の改装仕上げを行う場合にも、大掛かりな工事が必要となっていた。
【０００４】
本発明は、このような問題点に鑑みてなされたもので、特殊な技能を有しない者でも組み立てが可能で、内装工事の省力化に役立つ内装の壁・床際構造を提供することを目的とする。また、更新が容易な乾式工法の内装の壁・床際構造を提供することを目的とする。
【０００５】
【課題を解決するための手段】
上記課題を解決するために、本発明は以下の手段を講じた。
本発明の内装の壁・床際構造は、部屋の壁面を構成する壁パネルと部屋の床面とが交差する壁・床際の構造であって、建物の躯体の床及び天井に対した戸境壁用又は二重の床及び天井に対した間仕切壁用に固定される、縦方向に延びるスタッドと、壁パネルの下端部を収容する壁パネル差し込み部を有し、上記壁パネルの下端部を収容する壁パネル差し込み部を有し、上記スタッドに固定される受け材と、上記受け材に差し込まれて固定され、上記壁面の下端部を縁どる弾性材からなる巾木と、を具備し、
上記受け材は、互いに連接されているスタッド側プレートと、壁パネルを受ける底部と、スタッド側プレートと対向する第１及び第２の巾木側プレートと、第１及び第２の巾木側プレートとの間の傾斜プレートと、から構成されており、
上記壁パネルを収容した受け材は、第１の巾木側プレート、壁パネル、及びスタッド側プレートを貫通するようにしてビス止めによりスタッドに固定され、
上記巾木が、上記受け材を隠すように受け材手前側に垂下する部分（外側プレート）と、上記受け材の第２の巾木側プレートと壁パネルとの間に挿入される部分（内側プレート）とを有し、
上記内側プレートに上記壁パネルに接触するように開いている第１の裾部が形成されているとともに、上記外側プレートに床面に接触するように開いている第２の裾部が形成されており、これらの構成により、壁パネル又は床面に押し当てられる弾性材からなる取り付け手段が形成されていることを特徴とする。
【０００６】
この構成によれば、受け材に壁パネルを差し込み、壁下地材等に固定するだけで巾木を装着することができるので、特殊な技能を有しない者でも組み立てが可能で、内装工事の省力化に役立つものである。
【０００７】
本発明の内装の壁・床際構造においては、上記壁面の下端部を縁どる巾木を具備し、該巾木が上記受け材に差し込まれて固定される。また、この場合、上記巾木が、受け材を隠すように受け材手前側に垂下する。
【０００８】
また、本発明の内装の壁・床際構造においては、上記巾木の下縁に、床面に押し当てられる弾性材からなる取り付け手段が形成されている。上記受け材は、壁パネルとともにスタッドにビス打ち固定されていることが好ましい。
【０００９】
【発明の実施の形態】
以下、本発明の実施の形態について添付図面を参照して詳細に説明する。
図１は、本発明の一実施形態に係る内装の壁・床際構造を示す側面図である。住宅やオフィスなどの建物の床下地１０上に床材１１が設置されている。この床材１１は、部屋の壁部分の下方まで延出している。
【００１０】
また、壁の内側の床下地１０上には、アンカーボルト（図示せず）などで固定されたレールＲが取り付けられている。このレールＲは、断面略コの字形状を有しており、開口が上向きになるように床下地１０に取り付けられている。本実施形態では、レールＲは、薄鋼板等（材質問わず）をプレス加工したものである。同様に壁の内側の天井側の躯体にも断面略コの字形状を有するレールが開口が下向きになるように取り付けられている。
【００１１】
この床側及び天井側のレール間に間柱としてのスタッドＳが掛け渡されている。スタッドＳの上端及び下端は、レールのコの字の凹部に差し込まれている。スタッドＳは、レールＲに対して横方向にスライド可能であるが、基準となる箇所は固定されている。
【００１２】
図２は、スタッドＳを示す図であり、（Ａ）は側面図であり、（Ｂ）は断面図である。
このスタッドＳは、断面が中空部を有する略Ｈ字形状を有しており、横方向の幅が５０ｍｍ、前後方向厚さ３５ｍｍ、肉厚１．５ｍｍのアルミニウム型材等（材質問わず）である。図２において、前後方向の面Ｓｄ，Ｓｄ’は、壁面に沿った面であり、その中央には上下に長く延びる係止溝Ｓｂ，Ｓｂ’が設けられている。この溝には、壁パネル固定用の固定部材が係止される。
【００１３】
スタッドＳの側面Ｓｃ，Ｓｃ’には、複数の振れ止め係止穴Ｓａが形成されている。振れ止め係止穴Ｓａは、長さ１２０ｍｍ、幅１５ｍｍの縦方向に延びる細長い長方形の穴であり、スタッドＳの側面Ｓｃに４個設けられている。図中のピッチ寸法の一例は、Ｐ１＝Ｐ５＝１７０ｍｍ、Ｐ２＝Ｐ３＝Ｐ４＝７５０ｍｍである。この振れ止め係止穴Ｓａには、図示しない振れ止めが組み立て時に挿入される。
【００１４】
スタッドＳの側面の下部には、図３に示す形状を有する受け材１２が配置されている。この受け材１２は、スタッド側プレート１２ａと、壁パネルＰを受ける底部１２ｂと、スタッド側プレート１２ａと対向する第１及び第２の巾木側プレート１２ｃ，１２ｅと、第１及び第２の巾木側プレート１２ｃ，１２ｅとの間の傾斜プレート１２ｄと、から構成されている。スタッド側プレート１２ａと第１の巾木側プレート１２ｃとは、底部１２ｂを介して連接している。また、第１の巾木側プレート１２ｃとスタッド側プレート１２ａとの間の距離よりも第２の巾木側プレート１２ｅとスタッド側プレート１２ａとの間の距離の方が長く設定されており、第２の巾木側プレート１２ｅとスタッド側プレート１２ａとの間に、後述する巾木のプレートが挿入されるようになっている。
【００１５】
上記形状を有する受け材１２のスタッド側プレート１２ａをスタッドＳに沿うようにし、底部１２ｂを床材１１上に配置するようにして、スタッドＳの側面の下部に受け材１２が設置されている。そして、この受け材１２のスタッド側プレート１２ｂと巾木側プレート１２ｃ，１２ｅとの間に壁パネルＰを差し込む。したがって、壁パネルＰの下端部は、受け材１２の底部１２ｂに受けられる。
【００１６】
このように壁パネルＰを収容した受け材１２は、ビス１４により固定されている。すなわち、受け材１２は、第１の巾木側プレート１２ｃ、壁パネルＰ、及びスタッド側プレート１２ａを貫通するようにしてビス止めによりスタッドＳに固定されている。
【００１７】
スタッドＳに固定された受け材１２には、図４に示す形状を有し、軟質塩化ビニル樹脂などの弾性材からなる巾木１３が取り付けられている。この巾木１３は、受け材１２の第２の巾木側プレート１２ｅと壁パネルＰとの間に挿入される内側プレート１３ａと、内側プレート１３ａの下端に設けられた第１の裾部１３ｂと、外側に露出する外側プレート１３ｄと、内側プレート１３ａと外側プレート１３ｄを連接する中空部を有する支持部１３ｃと、外側プレート１３ｄの内側に設けられ、ビス１４を保持するビス保持部１３ｅと、外側プレート１３ｄの下端に設けられた第２の裾部１３ｆと、支持部１３ｃの外側に設けられたＲ部１３ｇとから構成されている。
【００１８】
内側プレート１３ａは、受け材１２の第２の巾木側プレート１２ｅとスタッド側プレート１２ａとの間に挿入されるので、受け材１２の第１の巾木側プレート１２ｃと傾斜プレート１２ｄとの境界部から第２の巾木側プレート１２ｅの上端までの距離とほぼ同じ又はそれよりも短くなるように設定される。
【００１９】
内側プレート１３ａ設けられた第１の裾部１３ｂは、壁パネルＰ側に接触するように開いており、外側プレート１３ｄに設けられた第２の裾部１３ｆは、床材１１に接触するように開いている。これらの構成により、壁パネル又は床面に押し当てられる弾性材からなる取り付け手段が形成される。これにより、巾木がガタ付くことなく、取り付けられる。
【００２０】
ビス保持部１３ｅは、外側プレート１３ｄの内側に複数、ここでは３つ形成されており、その間隔はビス１４の頭の大きさにより適宜設定する。このビス保持部１３ｅにより、ビス１４の頭を収容することができ、ビス１４の頭により外側プレート１３ｄを押し開いてしまうことを防止できる。
【００２１】
このように巾木１３を受け材１２に取り付けることにより、外側プレート１３ｄが受け材１２を隠すように受け材手前側に垂下するので、ビス１４を覆い隠すことができ、壁・床際構造の外観を向上させることができる。
【００２２】
上記構成を有する内装システムの壁・床際構造は、次のようにして設置することができる。まずスタッドＳに沿うようにして受け材１２を配置し、その受け材１２に壁パネルＰを差し込む。次いで、受け材１２の第１の巾木側プレート１２ｃ側から壁パネルＰ及びスタッド側プレート１２ａを貫通させてスタッドＳにビス１４を打ち込んで、壁パネルＰを収容した受け材１２をスタッドＳに固定する。最後に、第２の巾木側プレート１２ｅと壁パネルＰとの間に、巾木１３の内側プレート１３ａを上から挿入するようにして、巾木１３を受け材１２に取り付ける。
【００２３】
このように、本実施形態の内装システムの壁・床際構造は、受け材に壁パネルを差し込み、スタッドに固定するだけで壁パネルを装着することができるので、特殊な技能を有しない者でも組み立てが可能であり、非常に簡単に設置することができる。
【００２４】
本発明は、上記実施形態に限定されず、種々変更して実施することができる。したがって、上記実施形態における部材の寸法や形状は一例に過ぎず、適宜変更して実施することができる。
【００２５】
【発明の効果】
以上説明したように内装システムの壁・床際構造は、建物の躯体に固定される、縦方向に延びるスタッドと、壁パネルの下端部を収容する壁パネル差し込み部を有し、上記スタッドに固定される受け材と、を具備し、受け材に壁パネルを差し込み、スタッドに固定し、受け材に巾木を取り付けるだけで壁パネルをスタッドに装着するので、特殊な技能を有しない者でも組み立てが可能で、内装工事の省力化に役立つものである。
【図面の簡単な説明】
【図１】本発明の一実施形態に係る内装システムの壁・床際構造を示す側面図である。
【図２】上記実施形態に係る内装システムの壁・床際構造に使用されるスタッドを示す構成図であり、（Ａ）は側面図であり、（Ｂ）は断面図である。
【図３】上記実施形態に係る内装システムの壁・床際構造に使用される受け材を示す構成図である。
【図４】上記実施形態に係る内装システムの壁・床際構造に使用される巾木を示す構成図である。
【符号の説明】
１０…床下地、１１…床材、１２…受け材、１２ａ…スタッド側プレート、
１２ｂ…底部、１２ｃ…第１の巾木側プレート、１２ｄ…傾斜プレート、
１２ｅ…第２の巾木プレート、１３…巾木、１３ａ…内側プレート、
１３ｂ…第１の裾部、１３ｃ…支持部、１３ｄ…外側プレート、
１３ｅ…ビス保持部、１３ｆ…第２の裾部、１３ｇ…Ｒ部、１４…ビス、
Ｐ…パネル、Ｓ…スタッド、Ｓａ…振れ止め係止穴、Ｓｂ…係止溝、
Ｒ…レール。
【図１】
0003563583.tif 000002
【図２】
0003563583.tif 000003
【図３】
0003563583.tif 000004
【図４】
0003563583.tif 000005